(57)【要約】  【課題】吊りボルト等のボルト体に沿わせて設置することができるとともに、天井や床等の構造物に設けられている雌ねじ部に取付可能である配線・配管材の支持具を提供すること。  【解決手段】配線・配管材を支持する支持部１０と、該支持部１０を支持する支持棒２０とからなる配線・配管材の支持具１００であって、前記支持棒２０は、吊りボルト等のボルト体に対して、前記支持部１０に支持される配線・配管材の支持に支障のない位置に沿わせて当接可能に形成し、支持棒２０に形成するねじ部２０ａを、前記ボルト体と当接した状態でボルト体のねじと係合可能であり、かつ構造物に設置された雌ねじとも螺合可能に形成した。【選択図】図１
2006329357.tif 000002
【特許請求の範囲】
【請求項１】
配線・配管材を支持する支持部と、該支持部を支持する支持棒とからなる配線・配管材の支持具であって、
前記支持棒は、吊りボルト等のボルト体に対して、前記支持部に支持される配線・配管材の支持に支障のない位置に沿わせて当接可能であるとともに、
前記ボルト体と当接した状態でボルト体のねじと係合可能であり、かつ構造物に設置された雌ねじと螺合可能なねじ部を、少なくとも支持棒上部又は下部に備えてなることを特徴とする配線・配管材の支持具。
【請求項２】
前記支持棒は、支持部の上下に延びて形成され、ねじ部が少なくとも上下部にそれぞれ形成されてなることを特徴とする請求項１記載の配線・配管材の支持具。
【請求項３】
前記ねじ部は、支持棒全体に形成されてなることを特徴とする請求項１又は２に記載の配線・配管材の支持具。
【請求項４】
前記支持部は、支持棒に対して両側方に形成されてなることを特徴とする請求項１から３のいずれかに記載の配線・配管材の支持具。
【請求項５】
前記支持部は、支持棒の長手方向に沿って複数設けられてなることを特徴とする請求項１から４のいずれかに記載の配線・配管材の支持具。
【請求項６】
配線・配管材を支持する支持部と、該支持部を支持する支持棒とからなり、
前記支持棒は、吊りボルト等のボルト体に対して、前記支持部に支持される配線・配管材の支持に支障のない位置に沿わせて当接可能であるとともに、
前記ボルト体と当接した状態でボルト体のねじと係合可能であり、かつ構造物に設置された雌ねじと螺合可能なねじ部を、少なくとも支持棒上部又は下部に備えてなることを特徴とする配線・配管材の支持具と、
該配線・配管材の支持具と、ボルト体とを連結するための連結金具とからなることを特徴とする、配線・配管材の支持具及び該支持具を連結する連結金具。
【発明の詳細な説明】
【技術分野】
【０００１】
本発明は、吊りボルト等のボルト体に沿わせて設置することができるとともに、天井や床等の構造物に設けられている雌ねじ部に取付可能である配線・配管材の支持具に関する。
【背景技術】
【０００２】
従来、配線・配管材を支持する支持具としては、天井に設置されたインサートに直接取り付ける支持具が開示されている。例えば、一端に雌ネジ部（１ａ）が形成されている一連の鋼製丸棒を屈曲させてその他端を雌ネジ部（１ａ）の基部側に係止保持させ、全体として略三角形状に形成されている支持具本体（１）と、本体（１）の底辺部を構成している丸棒を軸（２）として、この軸（２）に各別に回転自在に支承されている３個のフッ素樹脂製円筒状回転支持部材（３）とを備え、支持部材（３）の円筒状周面がケーブル（Ｂ）を載置支持する支持面（４）に形成されているケーブル支持具がある（特許文献１参照）。
【０００３】
このケーブル支持具によれば、雌ねじ部（１ａ）を介して構造物に吊下げ姿勢で固定され、ケーブル（Ｂ）を軸（２）に交叉する方向から支持面（４）上に載置支持することができる。
【０００４】
しかしながら、この支持具は、予め天井にインサートが設置されていないところでは使用することができないものあったことに加え、吊りボルトに取り付けることが考慮されていないものであった。
【特許文献１】実開平３−５９５８０号公報
【発明の開示】
【発明が解決しようとする課題】
【０００５】
そこで、本発明は以上のような課題を解決するためになされたものであり、吊りボルト等のボルト体に沿わせて設置することができるとともに、天井や床等の構造物に設けられている雌ねじ部に取付可能である配線・配管材の支持具を提供することにある。
【課題を解決するための手段】
【０００６】
以上のような課題を解決するために請求項１記載の発明が採った手段は、配線・配管材を支持する支持部と、該支持部を支持する支持棒とからなる配線・配管材の支持具であって、
前記支持棒は、吊りボルト等のボルト体に対して、前記支持部に支持される配線・配管材の支持に支障のない位置に沿わせて当接可能であるとともに、
前記ボルト体と当接した状態でボルト体のねじと係合可能であり、かつ構造物に設置された雌ねじと螺合可能なねじ部を、少なくとも支持棒上部に備えてなることを特徴とする配線・配管材の支持具、とするものである。
【０００７】
さらに、請求項２に記載の発明が採った手段は、前記支持棒は、支持部の上下に延びて形成され、ねじ部が少なくとも上下部にそれぞれ形成されてなることを特徴とする請求項１記載の配線・配管材の支持具、とするものである。
【０００８】
また、請求項３に記載の発明が採った手段は、前記ねじ部は、支持棒全体に形成されてなることを特徴とする請求項１又は２に記載の配線・配管材の支持具、とするものである。
【０００９】
また、請求項４に記載の発明が採った手段は、前記ねじ部は前記支持部は、支持棒に対して両側方に形成されてなることを特徴とする請求項１から３のいずれかに記載の配線・配管材の支持具、とするものである。
【００１０】
また、請求項５に記載の発明が採った手段は、前記支持部は、前記支持棒の長手方向に沿って複数設けられてなることを特徴とする請求項１から４のいずれかに記載の配線・配管材の支持具、とするものである。
【００１１】
さらに、請求項６に記載の発明が採った手段は、配線・配管材を支持する支持部と、該支持部を支持する支持棒とからなり、
前記支持棒は、吊りボルト等のボルト体に対して、前記支持部に支持される配線・配管材の支持に支障のない位置に沿わせて当接可能であるとともに、
前記ボルト体と当接した状態でボルト体のねじと係合可能であり、かつ構造物に設置された雌ねじと螺合可能なねじ部を、少なくとも支持棒上部又は下部に備えてなることを特徴とする配線・配管材の支持具と、
該配線・配管材の支持具と、ボルト体とを連結するための連結金具とからなることを特徴とする、配線・配管材の支持具及び該支持具を連結する連結金具、とするものである。
【発明の効果】
【００１２】
請求項１記載の配線・配管材の支持具によれば、ボルト体と沿わせて設置可能であり、しかも、ボルト体が配線・配管材の支持の支障のない位置となるように取り付けることができるので、吊りボルト等の予め備え付けられているボルト体の任意の位置に取り付けて配線・配管の支持領域を設けることができる。
【００１３】
また、ボルト体に沿わせて連結した場合に、配線・配管材の支持具のねじ部とボルト体のねじが係合しているため、支持部に重い配線・配管材を支持したとしてもボルト体と支持棒がずれることがない。
【００１４】
また、配線・配管材の支持具のねじ部は、構造物に設けられている雌ねじに直接螺合可能に設けてあるので、雌ねじに直接螺合させて配線・配管の支持領域を設けることができる。
【００１５】
請求項２記載のボルトの配線・配管材の支持具によれば、前記支持棒は、支持部の上下に延びて形成され、ねじ部が少なくとも上下の両端にそれぞれ形成してあるので、ボルト体に対して支持部の上下のねじ部を係合させることができ、さらに強固な連結を確保することができる。また、上下の両端にねじが切られていることから、床等の構造物に雌ねじが設置してある場合にも取り付けることが可能になる
請求項３記載の配線・配管材の支持具によれば、ねじ部が支持棒全体に形成されているので、支持棒全体のねじ部がボルト体のねじと係合させて、さらに確実にボルト体と連結をすることができる。
【００１６】
請求項４記載の配線・配管材の支持具によれば、支持部が支持棒に対して両側方に形成されているので、支持棒の両側に配線・配管材の支持領域を設けることができるようになる。
【００１７】
請求項５記載の配線・配管材の支持具によれば、支持部が、長手方向に沿って複数設けられているので、上下に複数の配線・配管材の支持領域を設けることができる。
【００１８】
請求項６記載の配線・配管材の支持具によれば、配線・配管材の支持具と、これを連結する連結金具とを有するため、請求項１から５の配線・配管材の支持具を効果的にボルト体に固定することができる。
【発明を実施するための最良の形態】
【００１９】
以下、本発明を実施するための最良の形態について説明する。本発明の配線・配管材の支持具は、配線・配管材を支持する支持部と、該支持部を支持する支持棒とを備えている。
支持部は、配線・配管材を支持可能に形成されていれば、形状については特に限定するものではない。例えば、棒状の丸鋼材を折り曲げてＵ字型に形成したもの、Ｖ字型に形成したもの、このＵ字型やＶ字型の鉄筋を二つつなげて支持領域を二つ形成したものの等種々の形態を採用することができる。
【００２０】
一方、支持棒は棒状の鋼材で形成されており、少なくともねじ部が上方に設けられている。棒状体の太さについては、特に限定するものではないが、好ましくはボルト体の太さとほぼ同様の太さとなるように作製するとよい。また、ねじが螺刻してある部位以外の部位は、ボルト体と沿わせて当接可能な断面であれば、必ずしも丸断面に形成する必要はない。
【００２１】
ねじ部は、ボルト体のねじと係合し、かつ構造体に設けられた雌ねじと螺合するように螺刻されている。このようなねじ部とすることによって、ボルト体と沿わせて固定することもでき、かつ構造物に直接取り付けることもできるようになる。ねじ部を形成する部位については、上方だけではなく、それ以外の部位に設けてもよい。例えば、上方に加えて下方にもねじ部を設ければ、天井だけでなく床面等の構造物に設けられた雌ねじにも取り付けることが可能になる。さらに、支持棒全体に設ければ、ボルト体のねじと支持棒全体で係合させることができ、ボルト体とのずれをさらに効果的に防止することができるようになる。
【００２２】
支持部を支持棒に対して取り付ける位置は限定されない。例えば、支持棒の中心に限らず、上方、下方に設けても構わないし、複数取り付けても構わない。また、先述したＵ字型やＶ字型の鉄筋を二つつなげて形成された支持部を用いて、支持領域が支持棒の両側に設けられるように取り付けても構わない。
【００２３】
以上のように構成された本発明の配線・配管材の支持具は、ボルト体に連結されてボルト体の近傍に配線・配管材の支持領域を設けることができる。しかも本発明の配線・配管材の支持具は、ボルト体に沿わせて連結すれば、支持棒と平行して設置されることになり、配線・配管の支持に対して支障のない位置に配置されている。また、ボルト体に連結した場合は、ボルト体のねじと本発明のねじ部が係合するため、ボルト体と平行に配置されているにも拘わらず、平行方向にずれることはない。なお、ボルト体との固定方法は、特に限定するものではなく、針金で固定してもよいし、専用の連結金具を用いても構わない。
【００２４】
さらに、本発明の配線・配管材の支持具に螺刻されたねじ部は、構造物に設けられた雌ねじにも螺合可能であるため、直接構造物に取り付けることもできる。
【実施例１】
【００２５】
以下、本発明の最適な実施例について図面に沿って説明する。図１は、本発明の実施例１に係る配線・配管材の支持具の斜視図である。
【００２６】
実施例１における配線・配管材の支持具１００は、配線・配管材を支持する支持部１０と、この支持部を支持する支持棒２０とからなる。支持部１０は、略直径８ｍｍの棒状の鋼材を折り曲げてＵ字型に形成したものを二つ連結した形状をなしていて、このＵ字の底部１１０を配線・配管材の支持領域としてある。一方、支持棒２０は、略直径８ｍｍの直線状の鋼材からなり、上方にねじ部２０ａを設けてある。このねじ部２０ａのねじとしては、吊りボルトのねじと係合し、かつ天井等の構造物に設けられている雌ねじとも螺合可能に螺刻してある。そして、支持部１０を支持棒２０の略中央で、かつ支持棒２０の側面に当接させて溶接し、配線・配管材の支持具１００を形成する。支持部１０を支持棒２０の側面に設けることによって、支持部１０は、ボルト体３０に対して干渉することなく取付が可能であり、かつ配線・配管の支持に対して支障がないようにボルト体３０に対して平行に連結することができる。こうして作製した配線・配管材支持具１００は、吊りボルト等のボルト体に沿わせて連結して、ボルト体の両側に配線・配管材の支持領域を設けることができる。
【００２７】
ボルト体３０と連結するには、図２に示した連結金具２００を用いることができる。
このボルト体の連結金具２００、２本のボルト体（ボルト体３０と支持棒２０）を連結するものであり、２本のボルト体の外周を覆うことができるようにボルト挿入部２６０を設けた周壁２１０と、その一部に形成してある開口２２０とを有している。
【００２８】
ボルト挿入部２６０は、周壁２１０によってボルト体３０と支持棒２０のねじ山を係合させた状態の内径よりも若干狭く形成してあり、素手で挿入することは困難であるが、工具を用いれば容易に嵌め込むことができる程度で、かつ嵌め込んだ後は周壁２１０の弾性力によって素手では外すことができない程度でボルト体２本を固定できる大きさに形成してある。
【００２９】
開口２２０は、ボルト体１本分の幅と２本文の幅の間の幅に設定されていて、ボルト体を一本挿入することは容易であるが、挿入されたボルト体３０が支持棒２０を挿入する際に抜出しないよう形成してある。また、開口２２０の位置として、ボルト体３０を挿入した後、ボルト挿入部２６０内で移動させて抜出防止部２４０側へ移動すれば、支持棒２０を挿入できる位置に設けてある。
【００３０】
開口５０をなす一方の周壁２５０は、その高さがボルト体の幅より低く形成されており、ペンチやプライヤー等の挟持型工具によって周壁１０の背面側とボルト体を挟み込むことによってボルト挿入部２６０内に圧入できるように形成してある。そして、一方の周壁２５０の先端に閉塞部２３０が突出するように設けてある。閉塞部２３０は、一方の周壁２５０先端との付け根において塑性変形しやすいように括れ部を設けてある。さらに閉塞部２５０の先端には、挟持型工具の先端と係合する係合部２３０ａを設けてある。この係合部２３０ａは、閉塞部２３０に対して鋭角に折り曲げて形成してある。
【００３１】
一方、開口２２０をなす反対側の周壁の端部２４０は、開口２２０側へ折り曲げて形成してあり、その折り曲げた端部は一端挿入したボルト体の抜出を防止する抜出防止部２４０をなしている。その先端には、挟持型工具の先端と係合する係合部２４０ａを設けてある。係合部２４０ａとしては、抜出防止部２４０に対して鋭角に折り曲げて形成してある。
【００３２】
この連結金具２００を用いて、まず、図３に示したようにボルト体３０の側方から開口２２０を通じて周壁２１０内部にボルト体３０を挿入し、ボルト体３０を抜出防止部２４０側へ位置させるようにボルトの連結金具２００を移動する（図４）。その後、図５の如く、配線・配管材の支持具２００の支持棒２０を開口２２０から周壁２００内部へボルト体及び支持棒の互いのねじ山を係合させるように挿入する（図６）。なお、このときボルト体３０は支持棒２０の圧入力によって外部に押し出される方向へ力が働く場合があるが、抜出防止部１１０によってボルト体３０の抜出は防止される。
【００３３】
その後、図７に示すように、閉塞部２３０を工具によって塑性変形させて開口５０を閉じて、ボルト体３０と支持棒２０を連結金具内に固定して連結する（図８）。こうして配線・配管の支持に支障のない位置にボルト体を配置でき、ボルト体３０の両側方に配線・配管の支持領域を設けることができる。この連結された配線・配管材の支持具１００は、支持部１０で配線・配管材を支持して下方に重量を掛けても、支持棒２０とボルト体３０はねじ部同士を係合させてあるため、互いに平行にずれることを効果的に防止することができる。なお、さらに安定した固定をしたい場合には、支持棒の下方においても同様にボルトの連結金具２００を用いて固定してもよい。
【００３４】
本発明の配線・配管材支持具１００は、以上の固定方法を用いて、ボルト体と連結して以下のようにして使用することができる。例えば、図９に示すように、天井から吊り下がっているボルト体に連結すれば、天井の下近傍に配線・配管材の載置領域を設けたり、図１０のように床面から配設されているボルト体に沿わせて当接連結して、床面の近傍に配線・配管材の載置領域を設けたりすることができる。
【００３５】
さらに、実施例１の配線・配管材の支持具１００のねじ部２０ａは天井に設けられた雌ねじに直接螺合することもできるように形成してあるので、図１１に示すように吊りボルトがない場合でも、天井に雌ねじが設けられていれば、配線・配管材の支持具を直接取り付けて天井の下近傍に配線又は配管の支持領域を設けることができる。
【実施例２】
【００３６】
図１２に実施例２における配線・配管材の支持具１１０の斜視図を示してある。この実施例２に係る配線・配管材の支持具１１０は、上方に加えて下方にも上方に螺刻されたねじ部と同様の形態のねじ部２１ａを設け、上下のねじ部を連結金具２００で固定してある。このときの連結金具２００の向きは、上下で表裏逆に取り付けてある。その他の構成は実施例１と同様である。
【００３７】
上方に加えて下方にもねじ部２１ａを設けることによって、ボルト体と連結したときに上方と下方の両方でねじ山を係合させることができ、配線・配管材の支持具１１０をボルト体に対して上下でずれを防止させることができる。しかも、上下のねじ部２１ａを設けることによって、支持部１１の両側で支持する配線又は配管の重量バランスが悪い場合であっても、確実にねじ部２１ａをボルト体のねじに係合させることができるようになる。すなわち、図１３に示すように、支持部１１右側に左側と比較して重い配線等を載置した場合、支持棒２１に対して矢印Ａの方向へ力が係ることになる。この場合は、下方のねじ部２１ａがボルト体に押しつけられて強い係合状態となる。逆に、支持部１１左側に右側と比較して重い配線等を載置した場合、支持棒１１に対して矢印Ｂの方向へ棒１１に力が加わることになり、上方のねじ部２１ａがボルト体に押しつけられて強い係合状態を確保することができるのである。また、連結金具２００は、上下で表裏逆に取り付けてあるので、連結金具２００の開口が反対側に設けられることになる。そのため、支持棒が配線の移動によって、引っ張られたりボルト体と支持棒がねじれたりした場合であっても、外れることがない。
【００３８】
また、本実施例２に係る配線・配管材の支持具１１０によれば、支持棒２１の下方にねじ部２１ａが螺刻してあるので、床面に設けられている雌ねじに対して直接螺合させて、床面近傍に配線・配管材の支持領域を設けることができるようになる。
【００３９】
さらに、図示しないが、上方のねじ部２１ａに天井からのボルト体を連結し、下方のねじ部２１ａには、さらに別の配線配管材の支持具１１０の支持棒を取り付けて、下方にさらに別の配線・配管材の支持領域を設けることもできる。
【実施例３】
【００４０】
図１５に実施例３における配線・配管材の支持具１２０の斜視図を示してある。この実施例２に係る配線・配管材の支持具１１０は、ねじ部２２ａが支持棒２２全体に形成されてなるものである。その他の構成は実施例１と同様である。
【００４１】
このようにねじ部２２ａを支持棒２２全体に設ければ、ボルト体のねじに対して支持棒全体のねじ部２２ａを係合させることができて、より確実にずれを防止することができる。
【実施例４】
【００４２】
図１６に実施例４における配線・配管材の支持具１３０の斜視図を示してある。この実施例４に係る配線・配管材の支持具１３０は、実施例３の配線・配管材の支持具１２０に対して、支持部１３を上下に２個溶接したものである。支持部１３を２個設けることによって、上下に複数の配線・配管材の支持領域を設けることができるようになる。
【実施例５】
【００４３】
図１７に実施例５における配線・配管材の支持具１４０の斜視図を示してある。この実施例５に係る配線・配管材の支持具１４０は、支持棒２４全体にねじ部２４ａを設けるとともに、Ｕ字型に形成した鋼材を支持部１４として用い、この支持部１４を支持棒２４の片方側にのみ連続して上下に溶接したものである。この配線・配管材の支持具１４０を用いれば、支持棒２４の片側にのみ配線・配管材の支持領域を設けることができる。従って、片側に支持領域を設けるスペースがない場所に設置する場合に有効である。
【図面の簡単な説明】
【００４４】
【図１】実施例１に係る配線・配管材の支持具を示す斜視図である。
【図２】配線・配管材の支持具をボルト体に連結するのに使用する連結具を示す図である。
【図３】実施例１における配線・配管材の支持具をボルト体に連結する工程を示す図である。
【図４】実施例１における配線・配管材の支持具をボルト体に連結する工程を示す図である。
【図５】実施例１における配線・配管材の支持具をボルト体に連結する工程を示す図である。
【図６】実施例１における配線・配管材の支持具をボルト体に連結する工程を示す図である。
【図７】実施例１における配線・配管材の支持具をボルト体に連結する工程を示す図である。
【図８】実施例１における配線・配管材の支持具をボルト体に連結する工程を示す図である。
【図９】実施例１における配線・配管材の支持具の使用例を示す図である。
【図１０】実施例１における配線・配管材の支持具の別の使用例を示す図である。
【図１１】実施例１における配線・配管材の支持具のさらに別の使用例を示す図である。
【図１２】実施例２に係る配線・配管材の支持具を示す斜視図である。
【図１３】実施例２における配線・配管材の支持具の使用例を示す図である。
【図１４】実施例２における配線・配管材の支持具の別の使用例を示す図である。
【図１５】実施例３における配線・配管材の支持具を示す斜視図である。
【図１６】実施例４における配線・配管材の支持具を示す斜視図である。
【図１７】実施例５における配線・配管材の支持具を示す斜視図である。
【符号の説明】
【００４５】
１００，１１０，１２０，１３０，１４０  配線・配管材の支持具
１０，１１，１３                        支持部
２０，２１，２２，２４                  支持棒
２０ａ，２２ａ，２４a                   ねじ部
３０                                    ボルト体
２００                                  ボルトの連結金具
【図１】
2006329357.tif 000003
【図２】
2006329357.tif 000004
【図３】
2006329357.tif 000005
【図４】
2006329357.tif 000006
【図５】
2006329357.tif 000007
【図６】
2006329357.tif 000008
【図７】
2006329357.tif 000009
【図８】
2006329357.tif 000010
【図９】
2006329357.tif 000011
【図１０】
2006329357.tif 000012
【図１１】
2006329357.tif 000013
【図１２】
2006329357.tif 000014
【図１３】
2006329357.tif 000015
【図１４】
2006329357.tif 000016
【図１５】
2006329357.tif 000017
【図１６】
2006329357.tif 000018
【図１７】
2006329357.tif 000019